【手続補正書】
【提出日】平成18年5月24日(2006.5.24)
【手続補正１】
【補正対象書類名】特許請求の範囲
【補正対象項目名】全文
【補正方法】変更
【補正の内容】
【特許請求の範囲】
【請求項１】
装置本体内の所定の位置に設けられた印刷手段と、
前記装置本体内の第１の位置と第２の位置とに渡って移動可能に設けられ、前記印刷手段によって印刷される印刷対象物を支持する支持手段と、
前記支持手段を前記第１の位置又は前記第２の位置に移動操作する移動操作手段と、
前記支持手段の位置を検知する検知手段と、
印刷の指示があったときに、前記検知手段により前記支持手段が前記第１の位置又は前記第２の位置に配置されていることが検知された場合、前記印刷手段を駆動して前記支持手段に支持された印刷対象物に印刷を行い、前記検知手段により前記支持手段が前記第１の位置及び前記第２の位置のいずれにも配置されていないことが検知された場合、前記印刷手段を駆動させることなく前記支持手段に支持された印刷対象物に印刷を行わない印刷制御手段と、
を備えることを特徴とする印刷装置。
【請求項２】
前記印刷制御手段は、前記支持手段が前記第１の位置に配置されていることが前記検知手段により検知されたときに、前記印刷手段を駆動して第１の印刷データを印刷対象物に印刷し、前記支持手段が前記第２の位置に配置されていることが前記検知手段により検知されたときに、前記印刷手段を駆動して第２の印刷データを印刷対象物に印刷することを特徴とする請求項１記載の印刷装置。
【請求項３】
更に、前記検知手段により前記支持手段が前記第１の位置及び前記第２の位置のいずれにも配置されていないことが検知されたときに、そのことを報知する報知手段を備えることを特徴とする請求項１又は２記載の印刷装置。
【請求項４】
装置本体内の所定の位置に設けられた印刷手段と、
前記印刷手段によって印刷される印刷対象物を支持して前記装置本体内の第１の位置と第２の位置とに渡って移動可能に設けられた支持手段と、
前記支持手段を前記第1の位置又は前記第２の位置に移動操作する移動操作手段と、
前記支持手段により支持された印刷対象物の位置を検知する検知手段と、
印刷の指示があったときに、前記検知手段により前記印刷対象物が前記第１の位置又は前記第２の位置に配置されていることが検知された場合、前記印刷手段を駆動して前記支持手段に支持された印刷対象物に印刷を行い、前記検知手段により前記印刷対象物が前記第１の位置及び前記第２の位置のいずれにも配置されていないことが検知された場合、前記印刷手段を駆動させることなく前記支持手段に支持された印刷対象物に印刷を行わない印刷制御手段と、
を備えることを特徴とする印刷装置。
【請求項５】
前記印刷制御手段は、前記印刷対象物が前記第１の位置に配置されていることが前記検知手段により検知されたときに、前記印刷手段を駆動して第１の印刷データを印刷し、前記印刷対象物が前記第２の位置に配置されていることが前記検知手段により検知されたときに、前記印刷手段を駆動して第２の印刷データを印刷することを特徴とする請求項４記載の印刷装置。
【請求項６】
前記検知手段は、印刷対象物を支持した前記支持手段が前記第１の位置と前記第２の位置とに移動したときに、その印刷対象物を介して作動される少なくとも２個のスイッチで構成され、該スイッチからの検知信号の組合せにより、前記印刷対象物の位置の検知とともに、前記支持手段が前記第１の位置及び前記第２の位置に配置されているときにおける該支持手段に支持される印刷対象物の有無を検知することを特徴とする請求項４又は５記載の印刷装置。
【請求項７】
更に、前記支持手段を前記第１の位置と前記第２の位置において前記装置本体に対して位置決めすべく前記装置本体に係止する係止手段を備えることを特徴とする請求項１ないし６のいずれかに記載の印刷装置。
【請求項８】
前記移動操作手段は、前記装置本体の外面に移動可能に設けた操作部材と、該操作部材と前記支持手段を連結する連結手段とを備え、前記操作部材の移動操作に基づいて前記連結手段を介して前記支持手段を前記第１の位置と前記第２の位置とに移動すべく構成されていることを特徴とする請求項１ないし７のいずれかに記載の印刷装置。
【請求項９】
更に、前記支持手段が前記第１の位置と前記第２の位置とに配置されるときに、前記操作部材を装置本体に係脱可能に係止する係止手段を備えることを特徴とする請求項８記載の印刷装置。
【手続補正２】
【補正対象書類名】明細書
【補正対象項目名】０００７
【補正方法】変更
【補正の内容】
【０００７】
請求項１の発明による印刷装置は、装置本体内の所定の位置に設けられた印刷手段と、前記装置本体内の第１の位置と第２の位置とに渡って移動可能に設けられ、前記印刷手段によって印刷される印刷対象物を支持する支持手段と、前記支持手段を前記第１の位置又は前記第２の位置に移動操作する移動操作手段と、前記支持手段の位置を検知する検知手段と、印刷の指示があったとき、前記検知手段により前記支持手段が前記第１の位置又は前記第２の位置に配置されていることが検知された場合、前記印刷手段を駆動して前記支持手段に支持された印刷対象物に印刷を行い、前記検知手段により前記支持手段が前記第１の位置及び前記第２の位置のいずれにも配置されていないことが検知された場合、前記印刷手段を駆動させることなく前記支持手段に支持された印刷対象物に印刷を行わない印刷制御手段とを備えることを特徴としている。
【手続補正３】
【補正対象書類名】明細書
【補正対象項目名】００１０
【補正方法】変更
【補正の内容】
【００１０】
請求項４の発明による印刷装置は、装置本体内の所定の位置に設けられた印刷手段と、前記印刷手段によって印刷される印刷対象物を支持して前記装置本体内の第１の位置と第２の位置とに渡って移動可能に設けられた支持手段と、前記支持手段を前記第１の位置又は前記第２の位置に移動操作する移動操作手段と、前記支持手段により支持された印刷対象物の位置を検知する検知手段と、印刷の指示があったとき、前記検知手段により前記印刷対象物が前記第１の位置又は前記第２の位置に配置されていることが検知された場合、前記印刷手段を駆動して前記支持手段に支持された印刷対象物に印刷を行い、前記検知手段により前記印刷対象物が前記第１の位置及び前記第２の位置のいずれにも配置されていないことが検知された場合、前記印刷手段を駆動させることなく前記支持手段に支持された印刷対象物に印刷を行わない印刷制御手段とを備えることを特徴としている。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
請求項８の発明による印刷装置は、前記移動操作手段が、装置本体の外面に移動可能に設けた操作部材と、該操作部材と前記支持手段を連結する連結手段とを備え、前記操作部材の移動操作に基づいて前記連結手段を介して前記支持手段を前記第１の位置と前記第２の位置とに移動すべく構成されていることを特徴としている。
【手続補正６】
【補正対象書類名】明細書
【補正対象項目名】００１６
【補正方法】変更
【補正の内容】
【００１６】
請求項９の発明の印刷装置は、更に、前記支持手段が前記第１の位置と前記第２の位置とに配置されているときに、前記操作部材を装置本体に係脱可能に係止する係止手段を備えることを特徴としている。
【手続補正７】
【補正対象書類名】明細書
【補正対象項目名】００２６
【補正方法】削除
【補正の内容】
【手続補正８】
【補正対象書類名】明細書
【補正対象項目名】００２７
【補正方法】変更
【補正の内容】
【００２７】
請求項８の発明によれば、前記移動操作手段が装置本体の外面に移動可能に設けられた操作部材を備えるから、前記支持手段の移動の操作を装置本体の外部から容易に能率よく行うことができる。
【手続補正９】
【補正対象書類名】明細書
【補正対象項目名】００２８
【補正方法】変更
【補正の内容】
【００２８】
請求項９の発明によれば、前記支持手段が前記第１の位置と前記第２の位置とに位置するときに、前記操作部材を装置本体に係脱可能に係止する係止手段を備えるから、前記支持手段を所定の第１の位置と第２の位置とに的確に係止して位置決めすることができる。
【手続補正１０】
【補正対象書類名】明細書
【補正対象項目名】００８４
【補正方法】変更
【補正の内容】
【００８４】
以上の処理は、印刷開始時にトレイ９が第１の位置にある場合であるが、印刷開始時にトレイ９が第１の位置にない場合、すなわちトレイ位置検知スイッチＳＷ１がＯＦＦ状態である場合には、トレイ位置検知スイッチＳＷ２がＯＮ状態であるか判断される（ステップＳ２のＮＯ、Ｓ１９）。ここで、トレイ位置検知スイッチＳＷ１がＯＦＦ状態であり、トレイ位置検知スイッチＳＷ２もＯＦＦ状態の場合には、トレイが第１の位置及び第２の位置のいずれにもなく、トレイ９が印刷に不適当な位置にあるか、あるいはトレイ９に光ディスクＤが装着されていないかのいずれかであるため、その情報により液晶表示部１４にエラーが表示され、キャリッジ１７を待機ポジションに移動させて終了する（ステップＳ２のＮＯ、Ｓ１９のＮＯ、Ｓ３７、Ｓ３６ａ、エンド）。
【手続補正１１】
【補正対象書類名】図面
【補正対象項目名】図１０
【補正方法】変更
【補正の内容】
【図１０】
2005047162.tif 000001